(57)【特許請求の範囲】
【請求項１】
空気を混入させた気泡混入水を吐出するシャワーヘッドであって、
水を供給するための給水部と、
前記給水部から供給された水を加速して噴射中心点の周りに互いに間隔をおいた放射状に噴射する絞り流路と、
前記絞り流路の下流側に設けられた空気混入部であって、空気を導入する空気導入部を有し、この空気導入部から導入された空気を噴射された流れに混入させて気泡混入水を生じさせる前記空気混入部と、
前記気泡混入水を吐出する散水孔が形成された散水面側部と、この散水面側部と相対して配置され且つ前記散水面側部と散水室を形成する背面側部と、を備え、
前記背面側部は、前記絞り流路から噴射される気泡混入水の進行方向直線上において、前記背面側部から前記散水面側部の方向へ向かって延び、且つ自身と前記散水面側部との間において前記散水面側部に沿って流れることが可能な流路を形成する第一の壁部を備え、
前記背面側部の前記第一の壁部は、前記散水孔の、前記噴射中心点を中心とした半径方向外側に形成されていることを特徴とするシャワーヘッド。
【請求項２】
前記背面側部の前記第一の壁部は、円弧形状を有する、請求項１に記載のシャワーヘッド。
【請求項３】
前記背面側部の前記第一の壁部は、その円弧形状の中心が前記噴射中心点と同一に位置決めされている、請求項２に記載のシャワーヘッド。
【請求項４】
前記背面側部の前記第一の壁部は、全周にわたって連続して形成されている、請求項１乃至３の何れか１項に記載のシャワーヘッド。
【請求項５】
前記背面側部の前記第一の壁部は、前記散水孔の、前記噴射中心点を中心とした半径方向外側近傍に形成されている、請求項１乃至４の何れか１項に記載のシャワーヘッド。
【請求項６】
前記散水面側部は、前記散水面側部から前記背面側部の方向へ向かって延び、且つ自身と前記背面側部との間において流路を形成する第二の壁部を備えている請求項１乃至５の何れか１項に記載のシャワーヘッド。
【請求項７】
前記散水面側部の前記第二の壁部は、前記散水孔のうち前記絞り流路に最も近い散水孔の、前記噴射中心点を中心とした半径方向外周側に設けられている請求項６に記載のシャワーヘッド。
【請求項８】
前記散水面側部の前記第二の壁部は、前記絞り流路に最も近い散水孔の、前記噴射中心点を中心とした半径方向外周側に隣接して形成されている請求項７に記載のシャワーヘッド。
【発明の詳細な説明】
【技術分野】
【０００１】
本発明は、シャワーヘッドに係り、特に空気を混入させた気泡混入水を吐出するシャワーヘッドに関する。
【背景技術】
【０００２】
従来から、シャワー装置として、例えば、特許文献１に記載されているように、シャワーヘッド内で水を加速することによって空気を吸入して水中に空気を混入させた気泡混入水を吐出するシャワー装置が知られている。
【０００３】
さらに、特許文献２に記載されているように、水を散水板（ジェットディスク）に向かって加速して噴射しながら空気を吸入し、この空気を混合した気泡混入水が散水板に衝突して散水室内を放射状に広がるように流れ、散水板に形成された散水孔から吐水されるシャワーヘッドが知られている。
【先行技術文献】
【特許文献】
【０００４】
【特許文献１】特開2010-162356
【特許文献２】特表2006-509629
【発明の概要】
【発明が解決しようとする課題】
【０００５】
しかし、特許文献２記載のシャワーヘッドでは、水を散水板（ジェットディスク）に向かって加速して噴射しながら空気を吸入し、この空気を混合した気泡混入水が散水板に衝突した後に放射状に流れているので、空気が衝突して合流し泡が大きくなってしまい、空気を高い効率で水に混入させることができないという問題があった。
そこで、空気を高い効率で水に混入させるために、水を加速させる複数の絞り部を散水室内の中心部に互いに間隔を開けながら放射状に開口するように設けて、気泡混入水を放射方向に直線的に加速させながら噴射することを検討した。しかしながら、このように気泡混入水を噴射すると、ある絞り部から散水板に沿って放射状に噴射された気泡混入水は、散水室の外周壁に衝突して外周横方向に旋回する流れとなりやすく、且つ、ある絞り部の隣の絞り部から独立して噴射された気泡混入水の流れと合流して渦流を発生させやすく、この渦流が発生している状態、すなわち気泡混入水が旋回方向成分を有している状態、で散水板の散水孔から吐水して、旋回方向成分を有した状態の気泡混入水が飛び散るように吐水されてしまうという問題があった。
【０００６】
従って、本発明は、散水室内において気泡混入水の渦流が生じることを抑制し、気泡混入水を比較的きれいに整った線状の流れとして吐水することができるシャワーヘッドを提供することを目的としている。
【課題を解決するための手段】
【０００７】
上記の目的を達成するために、本発明は、空気を混入させた気泡混入水を吐出するシャワーヘッドであって、水を供給するための給水部と、給水部から供給された水を加速して噴射中心点の周りに互いに間隔をおいた放射状に噴射する絞り流路と、絞り流路の下流側に設けられた空気混入部であって、空気を導入する空気導入部を有し、この空気導入部から導入された空気を噴流に混入させて気泡混入水を生じさせる空気混入部と、気泡混入水を吐出する散水孔が形成された散水面側部と、この散水面側部と相対して配置され且つ散水面側部と散水室を形成する背面側部と、を備え、背面側部は、絞り流路から噴射される気泡混入水の進行方向直線上において、背面側部から散水面側部の方向へ向かって延び、且つ自身と散水面側部との間において散水面側部に沿って流れることが可能な流路を形成する第一の壁部を備え、前記背面側部の前記第一の壁部は、前記散水孔の、前記噴射中心点を中心とした半径方向外側に形成されていることを特徴としている。
上記のように構成された本発明においては、散水面側部と散水室を形成する背面側部が、散水孔の、噴射中心点を中心とした半径方向外側に形成されている第一の壁部を備えることにより、散水室内において絞り流路から噴射され且つ散水孔の前記半径方向外側に形成されている第一の壁部に衝突して散水孔に向かって流れる気泡混入水の流れが、絞り流路から噴射され且つ第一の壁部と散水面側部との間の流路を散水面部に沿って流れようとする気泡混入水の流れとぶつかり、噴射中心点の周りで互いに間隔をおいた放射状に噴射される気泡混入水の流れが散水室内において気泡混入水の渦流を生じることを抑制し、散水孔に流入する気泡混入水の流れの向きが比較的整えられる。従って、散水孔から吐出される気泡混入水が周囲に飛び散るのを抑制して、比較的きれいに整った線状の流れとして吐水をすることができる。
【０００８】
本発明において、好ましくは、背面側部の前記第一の壁部は、円弧形状を有する。
このように構成された本発明においては、背面側部の第一の壁部が、絞り流路から噴射された気泡混入水の流れを進行方向直線上において捕捉しやすくなり、第一の壁部に衝突して散水孔に向かって流れる気泡混入水の流れが、絞り流路から噴射され且つ第一の壁部と散水面側部との間の流路を散水面部に沿って流れようとする気泡混入水の流れとぶつかり、渦流を効率的に抑制することができる。
【０００９】
本発明において、好ましくは、背面側部の前記第一の壁部は、その円弧形状の中心が噴射中心点と同一に位置決めされている。
このように構成された本発明においては、背面側部の第一の壁部が、その円弧形状の中心が前記噴射中心点と同一に位置決めされているので、背面側部の第一の壁部と、絞り流路との位置関係が、製造誤差及び組み立て誤差によって変わる場合においても、気泡混入水の流れが第一の壁部に衝突したあとに、左右に分散する流れの量が比較的均一となる。このため、水流に旋回成分が生じることを抑制して比較的均一に分散させやすくなる。従って、第一の壁部に衝突して散水孔に向かって流れる気泡混入水の流れが、絞り流路から噴射され且つ第一の壁部と散水面側部との間の流路を散水面側部に沿って流れようとする気泡混入水の流れとぶつかる際に、流れの旋回成分を抑制し、渦流を効率的に抑制することができる。
【００１０】
本発明において、好ましくは、背面側部の前記第一の壁部は、全周にわたって連続して形成されている。
このように構成された本発明においては、背面側部の第一の壁部と、絞り流路との位置関係が、製造誤差及び組み立て誤差によって変わる場合においても、絞り流路から噴射される気泡混入水の流れを確実に第一の壁部に衝突させることができ、第一の壁部に衝突して散水孔に向かって流れる気泡混入水の流れが、絞り流路から噴射され且つ第一の壁部と散水面側部との間の流路を散水面側部に沿って流れようとする気泡混入水の流れとぶつかり、渦流を効率的に抑制することができる。
【００１１】
本発明において、好ましくは、背面側部の第一の壁部は、散水孔の、噴射中心点を中心とした半径方向外側近傍に形成されている。
このように構成された本発明においては、絞り流路から噴射された気泡混入水の流れが、噴射中心点を中心とした半径方向において、散水孔の外側近傍に形成された第一の壁部に衝突して流れが旋回するように渦流を生じさせようとしながら散水孔に向かって流れる場合、絞り流路から噴射され且つ第一の壁部と散水面側部との間を散水面側部に沿って流れようとする気泡混入水の流れが、第一の壁部よりも噴射中心点を中心とした半径方向内側に位置する散水孔に向かって流入する気泡混入水の流れとぶつかり、散水孔に流入する流れの旋回成分を打ち消すことで、渦流となることを抑制し、気泡混入水の流れの向きが比較的に整えられる。従って、散水孔から吐出される気泡混入水が周囲に飛び散ることを抑制して、比較的きれいに整った線状の流れとして吐水をすることができる。
【００１２】
本発明において、好ましくは、散水面側部は、散水面側部から背面側部の方向へ向かって延び、且つ自身と背面側部との間において流路を形成する第二の壁部を備えている。
このように構成された本発明においては、散水面側部が散水面側部から背面側部の方向へ向かって延びる第二の壁部を備えることにより、絞り流路から噴射された気泡混入水の流れを第二の壁部に衝突させて散水面側部に形成されている散水孔に向かって効率よく誘導することができる。従って、散水孔から吐出される気泡混入水が不十分となることを抑制し、比較的きれいに整った線状の流れとして吐水をすることができる。
【００１３】
本発明において、好ましくは、散水面側部の第二の壁部は、散水孔のうち絞り流路に最も近い散水孔の噴射中心点を中心とした半径方向外周側に設けられている。
このように構成された本発明においては、絞り流路から噴射される気泡混入水の流れの速度が比較的速く、気泡混入水の流れが内部に流入しにくい絞り流路に最も近い散水孔において、絞り流路から噴射された気泡混入水の流れを、噴射中心点を中心とした半径方向において散水孔の外周側に設けられている第二の壁部に衝突させて、この散水孔に向かって効率よく誘導することができる。従って、散水孔から吐出される気泡混入水が不十分となることを抑制し、比較的きれいに整った線状の流れとして吐水をすることができる。
【００１４】
本発明において、好ましくは、散水面側部の第二の壁部は、絞り流路に最も近い散水孔の噴射中心点を中心とした半径方向外周側に隣接して形成されている。
このように構成された本発明においては、絞り流路から噴射される気泡混入水の流れを散水孔の噴射中心点を中心とした半径方向外周側に隣接して形成されている第二の壁部に衝突させて隣接した散水孔に向かって効率よく誘導することができ、従って、散水孔から吐出される気泡混入水が不十分となることを抑制し、比較的きれいに整った線状の流れとして吐水をすることができる。
【発明の効果】
【００１５】
本発明の、シャワーヘッドによれば、散水室内において気泡混入水の渦流が生じることを抑制し、気泡混入水を比較的きれいに整った線状の流れとして吐水をすることができる。
【図面の簡単な説明】
【００１６】
【図１】本発明の実施形態によるシャワーヘッドの外観を示す斜視図である。
【図２】本発明の実施形態によるシャワーヘッドの分解斜視図である。
【図３】本発明の実施形態によるシャワーヘッドの上面図である。
【図４】図３のIV-IV線に沿って見た断面図である。
【図５】本発明の実施形態によるシャワーヘッドの散水室形成背面側部材を示す上面図である。
【図６】本発明の実施形態によるシャワーヘッドの散水ノズル形成部材の散水室前面側部を背面側から見た斜視図である。
【図７】本発明の実施形態によるシャワーヘッドの散水ノズル形成部材を背面側から見た平面図である。
【図８】図３のVIII-VIII線に沿って見た断面図である。
【図９】図８の断面図におけるＡ１の領域を拡大して示す部分拡大断面図である。
【図１０】散水ノズル形成部材が第二の壁部を備えていない場合に、散水部の散水室における気泡混入水の流れをシミュレーションした結果を示す図である。
【図１１】散水ノズル形成部材が第二の壁部を備えている場合に、散水部の散水室における気泡混入水の流れをシミュレーションした結果を示す図である。
【図１２】図１０の気泡混入水の流れをシミュレーションした結果のうち、Ａ３の領域を拡大して散水孔１２ｃに流入する流れの圧力、流速及び向き等を計算した結果を概略的に示す図である。
【図１３】図１１の気泡混入水の流れをシミュレーションした結果のうち、Ａ４の領域を拡大して散水孔１２ｃに流入する流れの圧力、流速及び向き等を計算した結果を概略的に示す図である。
【発明を実施するための形態】
【００１７】
以下、添付図面を参照して、本発明の実施形態によるシャワーヘッドを説明する。
図１は、本発明の実施形態によるシャワーヘッドの外観を示す斜視図である。
【００１８】
図１に示すように、本実施形態のシャワーヘッド１は、シャワーヘッド本体２と、このシャワーヘッド本体２の先端部に取り付けられた散水部４と、を有する。シャワーヘッド本体２は、使用者が把持する把持部２ａと、この把持部２ａの先端側に設けられ、把持部２ａよりも太くなった散水部取付部２ｂと、を有する。また、散水部取付部２ｂには、散水部４が取り付けられる円形の開口部２ｃが形成されている。散水部４は散水部取付部２ｂ内側から開口部２ｃに嵌合されるように取付けられている。また、シャワーヘッド本体２の基端側には、シャワーホース（図示せず）が接続される。このシャワーヘッド１は、洗面台、台所、浴室等の水周りにおいて使用される使用者が手に持って使用することができるタイプのハンドシャワーヘッドを含み、使用者が手に持って使用でき且つ浴室等の壁に掛けたまま使用できるオーバーヘッドシャワーを含んでいる。
【００１９】
シャワーヘッド１は、シャワーホース（図示せず）を介して湯水混合水栓装置等の給水水栓装置（図示せず）に接続され、使用者の操作により、水又は湯水を、止水状態及び吐水状態の切り換え、温度調整及び流量調整を行って、散水部４から吐水させることができる。
ここで、本発明の実施形態において、「水」という言葉は、給水水栓装置の水道側のみを吐水状態として供給される水のみならず、給水水栓装置に接続された給湯装置（図示せず）等から供給される湯を水に混合した湯水混合水をも含む意味で定義されている。このように、シャワーヘッド１は、シャワーホース（図示せず）及び給水水栓装置（図示せず）を備えるシャワー装置（図示せず）に取り付けられている。
【００２０】
次に、図２乃至図４を参照して、本発明の実施形態によるシャワーヘッド１のシャワーヘッド本体２の構造を説明する。
図２は、本発明の実施形態によるシャワーヘッドの分解斜視図であり、図３は、本発明の実施形態によるシャワーヘッドの上面図であり、図４は、図３のIV-IV線に沿って見た断面図である。
【００２１】
シャワーヘッド本体２には、本体通水部材６が内部に配置され、この本体通水部材６は、上流側においてシャワーホース（図示せず）を介して給水水栓装置（図示せず）と連通され、且つ下流側において散水部４と連通している。
【００２２】
散水部４は、シャワーヘッド本体２の散水部取付部２ｂに内側から組み付けられてシャワーヘッド１の外観の一部を構成する多孔カバー８と、この多孔カバー８の内側に嵌合される内側多孔カバー１０と、複数の散水ノズル１２ａが設けられたシリコン製の散水ノズル形成部材１２と、水流を加速して噴流として噴射するオリフィス形成部材１４と、オリフィス形成部材１４の下流側で噴流の負圧を利用して吸引される空気を混合する空気混合室形成部材１６と、散水ノズル形成部材１２との間に散水室１８を形成する散水室形成背面側部材２０と、本体通水部材６と接続される通水路接続部材２２とを備えている。なお、本実施形態では、散水部４は上記部材等を組合わせてほぼ円形形状に形成されているが、四角形状に形成され且つシャワーヘッド本体２において合わせて四角形状に形成された開口部２ｃに嵌合されるように構成されていてもよい。
【００２３】
散水ノズル形成部材１２は、ほぼ円形の板状部材であり切頭円錐形状に形成された散水ノズル１２ａがシャワーヘッド本体２の吐水方向側に突出するように設けられている。散水ノズル形成部材１２は、シャワーヘッド本体２の前面側（吐水方向側）において、内側多孔カバー１０に内側（シャワーヘッドの背面側）から嵌合される。さらに、散水ノズル形成部材１２は、散水室の前面を形成する散水室前面側部１２ｂが、散水室形成背面側部材２０と係合して散水室１８を内部に形成し、その散水室１８内部には噴射中心点Ｃ側からオリフィス形成部材１４と空気混合室形成部材１６とが配置されるようになっている。散水ノズル形成部材１２は、散水室１８から散水ノズル１２ａ内を通ってシャワーヘッド本体２の前面側に連通する散水孔１２ｃを形成している。この散水孔１２ｃは散水室１８から吐水方向に向かって徐々に流路径が小さくなるような円錐形状に形成された流路である。
散水ノズル形成部材１２上に形成された各散水ノズル１２ａは、多孔カバー８に形成された複数の孔８ａ及び内側多孔カバー１０に形成された複数のノズル貫通孔１０ａと夫々整合するように配置されており、散水ノズル形成部材１２と内側多孔カバー１０と多孔カバー８とを重ねて配置すると、各散水ノズル１２ａが内側多孔カバー１０の各ノズル貫通孔１０ａを貫通し且つ多孔カバー８の各孔８ａから突出するように構成されている。
このように各散水ノズル１２ａは、シャワーヘッド本体２が組み立てられた状態で、散水ノズル１２ａの前端１２ｄが最前面に突出するように形成されている。さらに、散水ノズル１２ａ（及び各散水ノズル１２ａ内に形成された散水孔１２ｃ）は、使用者側（すなわち前面側）から散水ノズル形成部材１２を見た場合に、散水ノズル形成部材１２の中心から同心円状の円周上にそれぞれ等間隔に列状に配置されており、より具体的には、散水ノズル形成部材１２の中心から最も内側の円周上に配置された第一周列ｌ１、この第一周列の一列外側の円周上に配置された第二周列ｌ２及び最も外側の円周上に配置された第三周列ｌ３上に、それぞれ等間隔に列状に配置されている。なお、本実施形態では、散水ノズル１２ａ（及び各散水ノズル１２ａ内に形成された散水孔１２ｃ）は、第一周列ｌ１、第二周列ｌ２及び第三周列ｌ３上の３列の円周上に配置されているが、他の実施形態において、散水ノズル１２ａが、第一周列、第二周列、第三周列及び第四周列上の４列の円周上に配置されていてもよく、さらに他の実施形態において、散水ノズル１２ａ（及び各散水ノズル１２ａ内に形成された散水孔１２ｃ）が、例えば、上下左右方向において直線的に且つ散水ノズル形成部材１２の中心から上下左右対称に配置されている場合など、散水ノズル形成部材１２の中心からの円周上に配置されている以外の方法によって配置されていてもよい。ここで、図３、７、８及び９において、第一周列ｌ１、第二周列ｌ２及び第三周列ｌ３の位置を説明するため、第一周列上の散水ノズル１２ａのうち代表的な数点をl1で例示し、第二周列の散水ノズル１２ａのうち一部の代表的な数点をl２で例示し及び第三周列の散水ノズル１２ａのうち代表的な数点をl３で例示している。
【００２４】
散水部４がシャワーヘッド本体２に取付けられている状態で、散水ノズル形成部材１２と多孔カバー８と内側多孔カバー１０とを重ねて配置する構成により、多孔カバー８と散水ノズル１２ａとの間には、ノズル隙間部２４が形成され、シャワーヘッド１の外部の空気をこのノズル隙間部２４から多孔カバー８内側に吸引することができるようになっている。さらに、内側多孔カバー１０には、自身の中央近傍から内側多孔カバー１０のノズル貫通孔１０ａのうち最も内側の円周上に形成されたノズル貫通孔１０ａまで、これらのノズル貫通孔１０ａの一部と連続した空間が形成されるように環状の凹部１０ｂが形成され（主に図２参照）、凹部１０ｂの中央近傍には内側多孔カバー１０の背面まで貫通する吸気通路１０ｃが形成されている。従って、前記ノズル隙間部２４から吸引された外部空気が、矢印ａ１で示した空気の流れのように、凹部１０ｂを通り、吸気通路１０ｃを通って、空気混合室形成部材１６の空気導入部１６ａに流入されて、水流に混入できるようになっている。
【００２５】
オリフィス形成部材１４には、給水水栓装置から供給された水を下流側の空気混合室形成部材１６に向けて噴射中心点Ｃの周りの１２方向に放射状に加速して噴流として噴射する絞り部１４ａが形成されている。この噴射中心点Ｃは、オリフィス形成部材１４から放射状に噴射される水流の仮想的な中心点を示し、且つオリフィス形成部材１４の半径方向中心点、空気混合室形成部材１６の半径方向中心点及び散水ノズル形成部材１２の半径方向中心点ともほぼ合致する中心点を示す。この絞り部１４ａにおいて、流路径が下流側に向かって徐々に小さく絞られ且つ下流端で開口された流路が形成されているので、流路径が絞られるにつれて水流が内部で加速されて絞り部１４ａから噴出されるようになっている。
【００２６】
空気混合室形成部材１６は、環状に形成され、オリフィス形成部材１４のそれぞれに対応する各絞り部１４ａに接続されて直線的な流路を形成し且つ噴射中心点Ｃの周りに互いに間隔をおいた放射状に延びる絞り流路部１６ｂと、絞り流路部１６ｂから直線的に同様の放射方向に延長されるような流路を形成する空気混合室部１６ｃと、空気を空気混合室部１６ｃ内に導入する空気導入部１６ａとを備え、空気混合室部１６ｃ内に流入してくる加速された噴流の負圧を利用して空気導入部１６ａから導入された空気を前記噴流に吸引及び混入させて気泡混入水を生じさせ、この気泡混入水が空気混合室形成部材１６の半径方向外側方向のうち等間隔の１２方向に放射状に開口している噴出開口部１６ｄから散水室部内に放射状に噴出するようにされている。
絞り流路部１６ｂは、オリフィス形成部材１４の絞り部１４ａと絞り流路を形成している。絞り流路部１６ｂは、噴射中心点Ｃの周りの１２方向に放射状に延び且つ互いに間隔をおいて互いに独立した流路を、噴射中心点Ｃを中心とした放射方向に形成している。従って、絞り部１４ａ及び対応する絞り流路部１６ｂが、直列に接続され、噴射中心点Ｃを中心とする散水ノズル形成部材１２の裏面に沿う１２方向の放射状に且つ互いにそれぞれ独立に並んだ流路として形成されている。
【００２７】
散水室形成背面側部材２０は、散水室１８の背面を形成する自身の散水室背面側部２０ａが、散水ノズル形成部材１２の散水室前面側部１２ｂと係合してほぼ円筒状の散水室１８を形成している。この散水室１８は、その内周側には空気混合室形成部材１６が配置され、その外周側及び背面側を散水室背面側部２０ａにより、及びその前面側（吐水方向側）を散水室前面側部１２ｂにより、形成されている。従って、本実施形態では、散水室１８は空気混合室形成部材１６の下流側における通水空間を形成している。よって、この散水室１８内において、空気混合室形成部材１６の噴出開口部１６ｄから１２方向に放射状に別々に噴出された気泡混入水が、散水ノズル形成部材１２の散水ノズル１２ａの散水孔１２ｃに流出する流れが形成される。散水室１８の外周側の壁部を形成する散水室形成背面側部材２０の外周側壁部２０ｂは、全円周にわたって曲線的な凹凸が連続している波形状を有している。
【００２８】
通水路接続部材２２は、自身の上流側は本体通水部材６と接続され、自身の下流側はオリフィス形成部材１４と接続され、本体通水部材６からの水流をオリフィス形成部材１４に供給するようになっている。
なお、本実施形態においては、変形例として、シャワーヘッド１のシャワーヘッド本体２及び散水部４が、さらに、複数の吐止水モードを切り替え可能な水路切替装置の機構を備えていてもよい。
【００２９】
以下に、図５乃至図９により、本実施形態の散水ノズル形成部材及び散水室形成背面側部材の構造を詳細に説明する。
図５は、本発明の実施形態によるシャワーヘッドの散水室形成背面側部材を示す上面図であり、図６は、本発明の実施形態によるシャワーヘッドの散水ノズル形成部材の散水室前面側部を背面側から見た斜視図であり、図７は、本発明の実施形態によるシャワーヘッドの散水ノズル形成部材を背面側から見た平面図であり、図８は、図３のVIII-VIII線に沿って見た断面図であり、図９は、図８の断面図におけるＡ１の領域を拡大して示す部分拡大断面図である。
【００３０】
先ず、散水室形成背面側部材２０は、この散水室形成背面側部材２０から突出する第一の壁部２０ｃを備えている。
第一の壁部２０ｃは、第二周列ｌ２の散水孔１２ｃと第三周列ｌ３の散水孔１２ｃとの間において、第二周列ｌ２の散水孔１２ｃのシャワーヘッド本体２外周側の近傍（第一の壁部２０ｃを散水室前面側部１２ｂまで延ばしたと仮定するならば、第一の壁部２０ｃが第二周列ｌ２の散水孔１２ｃの噴射中心点Ｃから半径方向外側に隣接するような位置）に、噴射中心点Ｃを中心とした全円周にわたって連続して延びて一体に形成されている。このような第一の壁部２０ｃは、絞り流路部１６ｂから噴射される水の進行方向直線上に配置され、絞り流路部１６ｂから直線的に噴射される水の進行方向前方を覆うような円弧状の壁を形成するようになっており、全周にわたる連続した円弧壁の他、複数の円弧状の壁が別に形成されているものも含む。
第１の壁部２０ｃは、散水室背面側部２０ａから散水室前面側部１２ｂの方向へ向かって直線的に延びている。この第一の壁部２０ｃの第一壁部頂端部２０ｄは、散水室背面側部２０ａと散水室前面側部１２ｂとの間の距離に対し、散水室背面側部２０ａと第一の壁部２０ｃの第一壁部頂端部２０ｄとの距離の比が、例えば４：３の比になるように、散水室前面側部１２ｂの近傍まで突出されて位置決めされている。従って、第一の壁部２０ｃの第一壁部頂端部２０ｄは、散水室前面側部１２ｂと接触しないように、散水室背面側部２０ａから散水室前面側部１２ｂの近傍に向かって突出する（或いは垂下する）ような構造で形成され、第一の壁部２０ｃの第一壁部頂端部２０ｄと散水室前面側部１２ｂとの間において散水室前面側部１２ｂに沿って噴射中心点Ｃから半径方向外側に気泡混入水が流れることが可能な流路１８ａを形成している。第一の壁部２０ｃは、自身の全円周の中心点或いは円弧状に形成された円弧の中心点が、噴射中心点Ｃに位置決めされるようになっている。
【００３１】
なお、本実施形態では、第一の壁部２０ｃは散水室形成背面側部材２０と一体に形成されているが、第一の壁部２０ｃを別部材として形成し、散水室形成背面側部材２０に後から取付けることによって配置されていてもよい。
なお、本実施形態では、第一の壁部２０ｃは、第二周列ｌ２の散水孔１２ｃの噴射中心点Ｃから半径方向外側の近傍に配置されているが、第二周列ｌ２の散水孔１２ｃと第三周列ｌ３の散水孔１２ｃとの間において、第二周列ｌ２の散水孔１２ｃよりも半径方向外側に一定距離離間して配置されていてもよい。
さらに、本実施形態では、第一の壁部２０ｃは、第二周列ｌ２の散水孔１２ｃと第三周列ｌ３の散水孔１２ｃとの間に配置されているが、他の実施形態において、散水ノズルが、第一周列、第二周列、第三周列及び第四周列上の４列の円周上に配置されているような場合に、第三周列の散水孔と第四周列の散水孔との間に同様に配置されていてもよい。
【００３２】
次に、散水ノズル形成部材１２は、この散水ノズル形成部材１２の散水室前面側部１２ｂから突出する第二の壁部１２ｅを備えている。
第二の壁部１２ｅは、第一周列ｌ１の散水孔１２ｃの外周のうち噴射中心点Ｃから見て半径方向外側の外周の半分ほどの領域部分を覆うように散水孔１２ｃに隣接して配置されている。第二の壁部１２ｅは、第一周列ｌ１上に配置された各散水孔１２ｃのそれぞれに対応して配置されている。
第二の壁部１２ｅは、散水室前面側部１２ｂから散水室背面側部２０ａの方向へ向かって、散水室背面側部２０ａまでは到達しない程度に直線的に延びている。従って、第二の壁部１２ｅの背面側の第二壁部頂端部１２ｆは、散水室背面側部２０ａと接触しないように、散水室前面側部１２ｂから散水室背面側部２０ａに向かって突出するような構造で形成され、絞り部１４ａ及び絞り流路部１６ｂから噴射される流れの勢いが比較的強い第一周列ｌ１の各散水孔１２ｃ上を流れる気泡混入水の流れを、第二の壁部１２ｅによって捕捉して第二の壁部１２ｅの直前の散水孔１２ｃに効率よく導くことができる。さらに、第二の壁部１２ｅの第二壁部頂端部１２ｆと散水室背面側部２０ａの間においては散水室背面側部２０ａに沿って流れることが可能な流路１８ａが形成されている。
第二の壁部１２ｅは、第一周列ｌ１の散水孔１２ｃのシャワーヘッド本体２外周側に隣接するように、噴射中心点Ｃを中心とした全円周にわたって連続して延びて一体に形成されていてもよい。
なお、本実施形態では、第二の壁部１２ｅは散水ノズル形成部材１２と一体に形成されているが、第二の壁部１２ｅを別部材として形成し、散水ノズル形成部材１２に後から取付けることによって配置されていてもよい。
さらに、第二の壁部１２ｅが円弧形状に形成される場合に、第二の壁部１２ｅが絞り部１４ａ及び絞り流路部１６ｂから直線的に噴射される気泡混入水の流れの進行方向前方の延長線上の位置から左右方向にずれて配置されていてもよい。
【００３３】
つぎに、本発明の実施形態によるシャワーヘッドの動作（作用）を説明する。
まず、図１乃至図９により、本発明の実施形態によるシャワーヘッドの吐水動作について説明する。
【００３４】
先ず、使用者がシャワーヘッド１を使用する前の状態においては、給水水栓装置（図示せず）は止水状態となっている。
次に、使用者が、給水水栓装置を操作して、止水状態から吐水状態の切り換えを行うと、水又は湯水（以下「水」と称する）を、温度調整及び流量調整を行って、散水部４に給水させることができる。
使用者が、給水水栓装置を吐水状態に操作すると、給水水栓装置から供給された水がシャワーホース（図示せず）を介してシャワーヘッド本体２の本体通水部材６を通過し散水部４のオリフィス形成部材１４に流入する。
散水部４のオリフィス形成部材１４に到達した水は、シャワーヘッド本体２の前面側（吐水方向側）に向かって流れ、オリフィス形成部材１４の前面側に配置された絞り部１４ａに至る。絞り部１４ａを通過する水は、絞り部１４ａにて流路径が絞られて縮小されているので、水の流速が加速され、絞り部１４ａから噴射されるように噴出される。絞り部１４ａは、噴射中心点Ｃの周りの１２方向に別々に開口しているので、絞り部１４ａから噴射される水流は、噴射中心点Ｃを中心とした１２方向に向かって独立した水流として噴射される。絞り部１４ａから噴射される水流は、それぞれの絞り部１４ａに個別に接続された対応する絞り流路部１６ｂを通過し、空気混合室部１６ｃ内を通過している際に、空気導入部１６ａから導入された空気が水流に吸引及び混入される。よって、加速されている水流が空気混合室部１６ｃ内にて空気の気泡を混入した気泡混入水の状態の水流となり、この気泡混入水が、加速されている水勢を維持したまま、空気混合室形成部材１６の噴出開口部１６ｄから噴射中心点Ｃの周りの１２方向に独立した水流として噴射される。
【００３５】
図９に示すように、空気混合室形成部材１６の噴出開口部１６ｄから噴射された気泡混入水の流れは、散水ノズル形成部材１２の散水室前面側部１２ｂに沿って放射状に広がる向きの流れを、散水室１８内に形成する。
空気混合室形成部材１６から噴射された気泡混入水流のうち一部は、矢印ａ２に示すように、第二の壁部１２ｅに衝突し、第二の壁部１２ｅの噴射中心点Ｃ側に隣接して配置された散水孔１２ｃの内部に向かって効率よく誘導されるように流れ、散水ノズル１２ａの散水孔１２ｃを通り、シャワーヘッド本体２の最前面からきれいに整った線状の流れとして吐水される。
このように気泡混入水流のうち一部が、第二の壁部１２ｅに衝突して散水孔１２ｃに流入するので、気泡混入水流のうち大部分が噴射中心点Ｃに最も近い散水孔１２ｃ上を通過してこれらの散水孔１２ｃからの吐水量が不十分な水量となること及びこの散水孔１２ｃ内の流れが乱れることを抑制し、第二の壁部１２ｅからこれらの散水孔１２ｃに一定流量の気泡混入水を供給してシャワーヘッド本体２の最前面からきれいに整った線状の流れとして吐水することができる。
【００３６】
空気混合室形成部材１６から噴射された気泡混入水流のうち上記散水孔１２ｃに流入する以外の部分の流れが、主に、そのまま放射状に広がる向きの流れを形成し、より詳細には気泡混入水流が第二の壁部１２ｅに衝突しない流路、すなわち第二壁部頂端部１２ｆと散水室背面側部２０ａとの間の流路１８ｂ、及び/又は噴射中心点Ｃを中心とする概ね円周上に並んで配置されている複数の第二の壁部１２ｅの間の流路、を通過して散水室１８の外周側に向かって放射状に流れる流れを形成している。
【００３７】
図９に示すように、気泡混入水流の一部が第一の壁部２０ｃに至ると、矢印ａ３に示すように、この気泡混入水流の一部が第一の壁部２０ｃに衝突して、第一の壁部２０ｃに対して噴射中心点Ｃを中心とする半径方向内側近傍に形成されている散水孔１２ｃに向かって流れる。
これに対し、気泡混入水流の他の部分は、矢印ａ４に示すように、第一の壁部２０ｃの第一壁部頂端部２０ｄと散水室前面側部１２ｂとの間の流路１８ａを通って散水室前面側部１２ｂに沿ってさらに放射状に広がる向きの流れを形成する。
従って、上記の気泡混入水流の一部が第一の壁部２０ｃに衝突してこの水流が旋回するように渦流を生じさせようとしながら散水孔１２ｃに向かう流れ（矢印ａ３に示すような流れ）と、上記の気泡混入水流の他の部分が、流路１８ａを通って散水室前面側部１２ｂに沿ってさらに放射状に広がる向きの流れ（矢印ａ４に示すような流れ）とが、散水室１８内の散水孔１２ｃへの流入領域Ａ２において交差する。このように上述の２つの流れが流入領域Ａ２において互いに交差して衝突しながら通過することにより、散水孔１２ｃに流入する流れの渦流を抑制し、気泡混入水の流れの向きが吐水方向に比較的に整えられる。従って、散水ノズル１２ａ内を吐水方向に流れる気泡混入水の流れは、その流れの旋回方向成分が抑制され、且つ流れの乱れが抑制され、散水部４の散水孔１２ｃから吐出される気泡混入水が周囲に飛び散るのを抑制して、比較的きれいに整った線状の流れとして吐水される。
【００３８】
前述の矢印ａ４に示すような流れは、流路１８ａを通って散水室前面側部１２ｂに沿ってさらに放射状に広がるように流れる。このとき、気泡混入水の流れは、旋回方向成分が抑制され、渦流が抑制された流れとなっており、散水室形成背面側部材２０の外周側壁部２０ｂに至り且つ散水ノズル形成部材１２の散水室前面側部１２ｂの最も外側の円周上に配置された第三周列ｌ３上の散水孔１２ｃに流入し、それぞれの散水孔１２ｃから気泡混入水の渦流が抑制された比較的きれいに整った線状の流れとして吐水される。
【００３９】
上述のように、気泡混入水流が散水室１８内において第一の壁部２０ｃと第二の壁部１２ｅとに衝突しながら流れることにより、散水室前面側部１２ｂの最も内側の円周上に配置された第一周列ｌ１上の散水孔１２ｃからの吐水と、散水室前面側部１２ｂの中間部の円周上に配置された第二周列ｌ２上の散水孔１２ｃからの吐水と、散水室前面側部１２ｂの最も外側の円周上に配置された第三周列ｌ３上の散水孔１２ｃからの吐水と、がいずれもほぼ均等の水圧、流速及び向きを有しながら、散水孔１２ｃ全体からの吐水が比較的きれいに整った線状の流れとして吐水される。
【００４０】
つぎに、図１０乃至図１３を用いて、本発明の実施形態によるシャワーヘッドの散水部の散水室において散水室形成背面側部材が第一の壁部を備えていない場合と第一の壁部を備えている場合との気泡混入水の流れの違いについてシミュレーション結果を使用してより詳細に説明する。
図１０は、散水室形成背面側部材が第一の壁部を備えていない場合に、散水部の散水室における気泡混入水の流れをシミュレーションした結果を示す図であり、図１１は、散水室形成背面側部材が第一の壁部を備えている場合に、散水部の散水室における気泡混入水の流れをシミュレーションした結果を示す図であり、図１２は、図１０の気泡混入水の流れをシミュレーションした結果のうち、Ａ３の領域を拡大して散水孔１２ｃに流入する流れの圧力、流速及び向き等を計算した結果を概略的に示す図であり、図１３は、図１１の気泡混入水の流れをシミュレーションした結果のうち、Ａ４の領域を拡大して散水孔１２ｃに流入する流れの圧力、流速及び向き等を計算した結果を概略的に示す図である。
以下、図１０及び図１２の説明において、図１０及び図１２における散水室形成背面側部材が第一の壁部を備えていないシャワーヘッドにおける散水室形成背面側部材以外の構造は、上述した実施形態と同じであるため、説明においては散水室形成背面側部材及び散水室以外の部分については本実施形態の参照符号を付して説明する。
さらに、図１０及び図１１は、図１０において手前側に配置されている散水ノズル形成部材１２と、奥側に配置されている散水室形成背面側部材との間に形成されている散水室の内部を分かりやすく示すために、手前側に配置されている散水ノズル形成部材１２の散水孔１２ｃの位置を簡略的に示し、気泡混入水の流れを分かりやすく示すため、散水室及び空気混合室形成部材１６及びオリフィス形成部材１４等の構造を概略的に示している。
さらに、図１０及び図１１においては、比較的水圧が高く且つ比較的流速の早い部分が濃い黒色で示され、比較的水圧が低く且つ比較的流速の遅い部分が薄い黒色で示され、主に黒色の濃い部分に沿って気泡混入水の流れが生じていることが示されている。図１２及び図１３においては、図中の各矢印の向き及び大きさにより気泡混入水の流れの向き及び速度の大きさ等を示している。
【００４１】
先ず、図１０及び図１２により、散水室形成背面側部材が第一の壁部を備えていない以外は本実施形態のシャワーヘッド本体と散水部と同じ構造を有しているシャワーヘッドにおいて、散水室内の気泡混入水の流れをシミュレーションし、圧力、流速及び流れの向き等を計算した結果を説明する。
具体的には、オリフィス形成部材１４の絞り部１４ａ及び空気混合室形成部材１６の絞り流路部１６ｂから加速されて噴射される気泡混入水の流れが、散水室内に互いに間隔をあけて放射状に噴射されている。例えば、ある絞り部１４ａ等から噴射される気泡混入水の流れは、矢印ａ５に示すように、加速された勢いを維持しながら直線的に進み、散水室形成背面側部材の外周側壁部に衝突して、左右に方向を変え、上述のある絞り部１４ａ等の隣の絞り部１４ａ等から噴射される気泡混入水の流れ（それぞれ矢印ａ６及びａ７により示す流れ）と合流して、旋回するように渦を巻く流れを生じてしまう。
よって、気泡混入水の流れが、第二周列ｌ２上の散水孔１２ｃ（参照符号を１２ｃ（ｌ２）により示す）近傍において、旋回成分を有した渦状の流れを形成することになり、第二周列ｌ２上の散水孔１２ｃに流入する気泡混入水の流れが旋回成分を有した渦状の流れとなり、流れの向きが乱れ、散水孔１２ｃから吐出される際に気泡混入水が周囲に飛び散る結果となり、きれいに整った線状の流れとして吐水をできていない結果を示している。
さらに、気泡混入水の流れが、第三周列ｌ３上の散水孔１２ｃ（参照符号１２ｃ（ｌ３）により示す）近傍においても、旋回成分を有した渦状の流れを形成することになり、第三周列ｌ３上の散水孔１２ｃに流入する気泡混入水の流れが旋回成分を有した渦状の流れとなり、流れの向きが乱れ、散水孔１２ｃから吐出される際に気泡混入水が周囲に飛び散る結果となり、きれいに整った線状の流れとして吐水をできていない結果を示している。
【００４２】
ここで、第三周列ｌ３上の散水孔１２ｃに流入する気泡混入水の流れが旋回成分を有した渦状の流れとなる様子を、図１２によって説明する。
図１２は、図１０において気泡混入水の流れをシミュレーションした結果のうち、２つの第三周列ｌ３上の散水孔１２ｃの近傍のＡ３の領域の流れを拡大して圧力、流速及び流れの向き等を計算した結果を概略的に示している。図１２において、散水ノズル形成部材１２及び散水孔１２ｃ内に形成されている流路領域の形状が想像線により示されている。
ここで、第三周列ｌ３上の散水孔１２ｃに流入する気泡混入水の流れが旋回成分を有した渦状の流れ（例えば矢印ａ８に示すような流れ）となり、流れの向きが乱れ、散水孔１２ｃから吐出される際に気泡混入水が周囲に飛び散る結果となり（例えば矢印ａ９に示すように気泡混入水の流れが散水孔１２ｃから広がる向きであったり、流れの向きや速度が比較的不均一となっていたりする結果となり）、散水孔１２ｃからきれいに整った線状の流れとして吐水をできていない結果を示している。
【００４３】
これに対し、図１１及び図１３により、本実施形態の散水室形成背面側部材２０が第一の壁部２０ｃを備えているシャワーヘッド１において、散水室１８内の気泡混入水の流れをシミュレーションした結果について説明する。
図１１には、本実施形態の散水室形成背面側部材２０が第一の壁部２０ｃを備えているシャワーヘッド１において、散水室１８内の気泡混入水の流れをシミュレーションし、圧力、流速及び流れの向き等を計算した結果が示されている。
具体的には、オリフィス形成部材１４の絞り部１４ａ及び空気混合室形成部材１６の絞り流路部１６ｂから加速されて噴射される気泡混入水の流れが、散水室１８内に互いに間隔をあけて放射状に噴射されている。例えば、ある絞り部１４ａ等から噴射される気泡混入水の流れは、加速された勢いを維持しながら直線的に進み、この気泡混入水の流れの一部が、例えば矢印ａ３に示すように、第一の壁部２０ｃに衝突すると第一の壁部２０ｃに対して噴射中心点Ｃを中心とする半径方向内側近傍に形成されている第二周列ｌ２上の散水孔１２ｃに向かって流れる。
これに対し、気泡混入水の流れのうち第一の壁部２０ｃに衝突していない他の部分は、例えば矢印ａ４に示すように、第一の壁部２０ｃの第一壁部頂端部２０ｄと散水室前面側部１２ｂとの間の流路１８ａを通って散水室前面側部１２ｂに沿ってさらに外方に広がる向きの流れを形成しようとする。
従って、上記気泡混入水の流れの一部が第一の壁部２０ｃに衝突して散水孔１２ｃに向かう流れａ３と、上記気泡混入水の流れのうち他の部分が、上記流路１８ａを通って散水室前面側部１２ｂに沿ってさらに外方に広がる向きの流れａ４とが、第二周列ｌ２上の散水孔１２ｃへの流入領域Ａ２近傍において交差し、気泡混入水の流れが左右方向に旋回するように渦を生じることを抑制することができ、上述のある絞り部１４ａ等の隣の絞り部１４ａ等からそれぞれ噴射される気泡混入水の流れ（例えばそれぞれ矢印ａ１０及びａ１１により示す流れ）と合流して、気泡混入水の渦流を生じることを抑制することができる。
よって、気泡混入水の流れが、第二周列ｌ２上の散水孔１２ｃ（参照符号１２ｃ（ｌ２）により示す）に流入する際に、気泡混入水の流れの流速及び向きが比較的に整った状態で流入し、第二周列ｌ２上の散水孔１２ｃから吐出される気泡混入水が周囲に飛び散るのを抑制して、比較的きれいに整った線状の流れとして吐水することができる。
さらに、図１１に示すように、第一の壁部２０ｃの外側においては、上述したように、すでに、第二周列ｌ２上の散水孔１２ｃへの流入領域Ａ２近傍において、上記気泡混入水の流れの一部が第一の壁部２０ｃに衝突して散水孔１２ｃに向かう流れａ３と、上記気泡混入水の流れのうち他の部分が、上記流路１８ａを通って散水室前面側部１２ｂに沿ってさらに外方に広がる向きの流れａ４とが交差し、気泡混入水の流れの旋回しようとする成分が打ち消されるように流れているので、第一の壁部２０ｃの外側においても気泡混入水の流れの旋回しようとする成分が抑制され、且つ気泡混入水の渦流を生じることを抑制されている結果となっている。
従って、気泡混入水の流れが、第三周列ｌ３上の散水孔１２ｃ（参照符号１２ｃ（ｌ３）により示す）近傍においても、旋回成分が抑制された流れの向き、水圧及び速度等が比較的均一な流れを形成することになり、第三周列ｌ３上の散水孔１２ｃに流入する気泡混入水の流れが比較的均一に吐水方向を向いた流れとなり、流れの向き及び速度のばらつきが比較的に少なくされ、散水孔１２ｃから吐出される気泡混入水が周囲に飛び散るのを抑制して、比較的きれいに整った線状の流れとして吐水をすることができる結果を示している。
【００４４】
ここで、第三周列ｌ３上の散水孔１２ｃに流入する気泡混入水の流れがきれいに整った線状の流れとして吐水される様子を、図１３によって説明する。
図１３は、図１１において気泡混入水の流れをシミュレーションした結果のうち、２つの第三周列ｌ３上の散水孔１２ｃの近傍のＡ４の領域の流れを拡大して圧力、流速及び流れの向き等を計算した結果を概略的に示している。図１３において、散水ノズル形成部材１２及び散水孔１２ｃ内に形成されている流路領域の形状が想像線により示されている。
ここで、２つの第三周列ｌ３上の散水孔１２ｃに流入する気泡混入水の流れは、どちらの散水孔１２ｃにおいても、旋回成分が抑制された吐水方向を指向する直線的な流れ（例えば矢印ａ１２に示すような流れ）となり、流れの流速及び向き等が比較的均一であり、散水孔１２ｃから吐出される際には気泡混入水の流れが、例えば矢印ａ１３に示すように、散水孔１２ｃの開口する向きに比較的整った流速及び向き等を有している。従って散水孔１２ｃから吐出される気泡混入水が散水孔１２ｃから（散水孔１２ｃが開口する方向すなわち意図する吐水方向の延長線上から）周囲に飛び散ること及び散水孔１２ｃから周囲の意図しない方向に流れが吐水されてしまうことを抑制して、散水孔１２ｃが開口する方向に使用者が美的感覚を受けるような比較的きれいに整った線状の流れとして吐水されていることが分かる。言い換えると、各散水孔１２ｃから吐出される気泡混入水は、各散水孔１２ｃから各散水孔１２ｃの指向する前方吐水方向に向かって一筋のほぼ直線的な流れとして放出される。
【００４５】
次に、上述した本発明の実施形態によるシャワーヘッド１の作用効果を説明する。
上述した本発明の実施形態によるシャワーヘッド１によれば、散水ノズル形成部材１２と散水室１８を形成する散水室形成背面側部材２０が第一の壁部２０ｃを備えることにより、散水室１８内において絞り部１４ａ及び絞り流路部１６ｂから噴射され且つ第一の壁部２０ｃに衝突して散水孔１２ｃに向かって流れる気泡混入水の流れが、絞り部１４ａ及び絞り流路部１６ｂから噴射され且つ第一の壁部２０ｃと散水面側部との間の流路１８ａを散水ノズル形成部材１２の散水室前面側部１２ｂに沿って流れようとする気泡混入水の流れとぶつかり、噴射中心点Ｃの周りで互いに間隔をおいた放射状に噴射される気泡混入水の流れが散水室１８内において気泡混入水の渦流を生じることを抑制し、散水孔１２ｃに流入する気泡混入水の流れの向きが比較的に整えられる。従って、散水孔１２ｃから吐出される気泡混入水が周囲に飛び散るのを抑制して、比較的きれいに整った線状の流れとして吐水をすることができる。
【００４６】
上述した本発明の実施形態によるシャワーヘッド１によれば、散水室形成背面側部材２０の第一の壁部２０ｃが、絞り部１４ａ及び絞り流路部１６ｂから噴射された気泡混入水の流れを進行方向直線上において捕捉しやすくなり、第一の壁部２０ｃに衝突して散水孔１２ｃに向かって流れる気泡混入水の流れが、絞り部１４ａ及び絞り流路部１６ｂから噴射され且つ第一の壁部２０ｃと散水ノズル形成部材１２の散水室前面側部１２ｂとの間の流路１８ａを散水室前面側部１２ｂに沿って流れようとする気泡混入水の流れとぶつかり、渦流を効率的に抑制することができる。
【００４７】
上述した本発明の実施形態によるシャワーヘッド１によれば、散水室形成背面側部材２０の第一の壁部２０ｃが、その円弧形状の中心が前記噴射中心点Ｃと同一に位置決めされているので、散水室形成背面側部材２０の第一の壁部２０ｃと、絞り部１４ａ及び絞り流路部１６ｂと、の位置関係が、製造誤差及び組み立て誤差によって変わる場合においても、気泡混入水の流れが第一の壁部２０ｃに衝突したあとに、左右に分散する流れの量が比較的均一となる。このため、水流に旋回成分が生じることを抑制して、比較的均一に分散させやすくなる。従って、第一の壁部２０ｃに衝突して散水孔１２ｃに向かって流れる気泡混入水の流れが、絞り部１４ａ及び絞り流路部１６ｂから噴射され且つ第一の壁部２０ｃと散水ノズル形成部材１２の散水室前面側部１２ｂとの間の流路１８ａを散水室前面側部１２ｂに沿って流れようとする気泡混入水の流れとぶつかる際に、流れの旋回成分を抑制し、渦流を効率的に抑制することができる。
【００４８】
上述した本発明の実施形態によるシャワーヘッド１によれば、散水室形成背面側部材２０の第一の壁部２０ｃと、絞り部１４ａ及び絞り流路部１６ｂとの位置関係が、製造誤差及び組み立て誤差によって変わる場合においても、絞り部１４ａ及び絞り流路部１６ｂから噴射される気泡混入水の流れを確実に第一の壁部２０ｃに衝突させることができ、第一の壁部２０ｃに衝突して散水孔１２ｃに向かって流れる気泡混入水の流れが、絞り部１４ａ及び絞り流路部１６ｂから噴射され且つ第一の壁部２０ｃと散水ノズル形成部材１２の散水室前面側部１２ｂとの間の流路１８ａを散水室前面側部１２ｂに沿って流れようとする気泡混入水の流れとぶつかり、渦流を効率的に抑制することができる。
【００４９】
上述した本発明の実施形態によるシャワーヘッド１によれば、絞り部１４ａ及び絞り流路部１６ｂから噴射された気泡混入水の流れが、散水孔１２ｃの噴射中心点Ｃを中心とした半径方向外側近傍に形成された第一の壁部２０ｃに衝突して流れが旋回するように渦流を生じさせようとしながら散水孔１２ｃに向かって流れる場合、絞り部１４ａ及び絞り流路部１６ｂから噴射され且つ第一の壁部２０ｃと散水室前面側部１２ｂとの間の流路１８ａを散水室前面側部１２ｂに沿って流れようとする気泡混入水の流れが、第一の壁部２０ｃよりも噴射中心点Ｃを中心とした半径方向内側に位置する散水孔１２ｃに向かって流入する気泡混入水の流れとぶつかり、散水孔１２ｃに流入する流れの旋回成分を打ち消すことで、渦流となることを抑制し、気泡混入水の流れの向きが比較的に整えられる。従って、散水孔１２ｃから吐出される気泡混入水が周囲に飛び散ることを抑制して、比較的きれいに整った線状の流れとして吐水をすることができる。
【００５０】
上述した本発明の実施形態によるシャワーヘッド１によれば、散水ノズル形成部材１２が散水ノズル形成部材１２の散水室前面側部１２ｂから散水室形成背面側部材２０の方向へ向かって延びる第二の壁部１２ｅを備えることにより、絞り部１４ａ及び絞り流路部１６ｂから噴射された気泡混入水の流れを第二の壁部１２ｅに衝突させて散水ノズル形成部材１２に形成されている散水孔１２ｃに向かって効率よく誘導することができる。従って、散水孔１２ｃから吐出される気泡混入水が不十分となることを抑制し、比較的きれいに整った線状の流れとして吐水をすることができる。
【００５１】
上述した本発明の実施形態によるシャワーヘッド１によれば、絞り部１４ａ及び絞り流路部１６ｂから噴射される気泡混入水の流れの速度が比較的速く、気泡混入水の流れが内部に流入しにくい絞り部１４ａ及び絞り流路部１６ｂに最も近い散水孔１２ｃにおいて、絞り部１４ａ及び絞り流路部１６ｂから噴射された気泡混入水の流れを、散水孔１２ｃの噴射中心点Ｃを中心とした半径方向外周側に設けられている第二の壁部１２ｅに衝突させてこの散水孔１２ｃに向かって効率よく誘導することができ、従って、散水孔１２ｃから吐出される気泡混入水が不十分となることを抑制し、比較的きれいに整った線状の流れとして吐水をすることができる。
【００５２】
上述した本発明の実施形態によるシャワーヘッド１によれば、絞り部１４ａ及び絞り流路部１６ｂから噴射される気泡混入水の流れを散水孔１２ｃの噴射中心点Ｃを中心とした半径方向外周側に隣接して形成されている第二の壁部１２ｅに衝突させて隣接した散水孔１２ｃに向かって効率よく誘導することができ、従って、散水孔１２ｃから吐出される気泡混入水が不十分となることを抑制し、比較的きれいに整った線状の流れとして吐水をすることができる。
【符号の説明】
【００５３】
１      シャワーヘッド
２      シャワーヘッド本体
６      本体通水部材
１２    散水ノズル形成部材
１２ｂ  散水室前面側部
１２ｃ  散水孔
１２ｅ  第二の壁部
１４    オリフィス形成部材
１４ａ  絞り部
１６    空気混合室形成部材
１６ｂ  絞り流路部
１８ａ  流路
１８    散水室
２０    散水室形成背面側部材
２０ａ  散水室背面側部
２０ｄ  第一壁部頂端部
２０ｃ  第一の壁部
ｌ１    第一周列
ｌ２    第二周列
ｌ３    第三周列
Ｃ      噴射中心点
【要約】
【課題】散水室内において気泡混入水の渦流が生じることを抑制し、気泡混入水を比較的きれいに整った線状の流れとして吐水することができるシャワーヘッドを提供する。
【解決手段】本発明のシャワーヘッドは、給水部６と、給水部６から供給された水を加速して噴射中心点Ｃの周りに互いに間隔をおいた放射状に噴射する絞り流路１４ａと、絞り流路１４ａの下流側に設けられて気泡混入水を生じさせる空気混入部１６と、散水孔１２ｃが形成された散水面側部１２と、散水面側部１２と散水室１８を形成する背面側部２０と、を備え、背面側部２０は、絞り流路１４ａから噴射される気泡混入水の進行方向直線上において、背面側部２０から散水面側部１２の方向へ向かって延び、且つ自身と散水面側部１２との間において散水面側部１２に沿って流れることが可能な流路１８ａを形成する第一の壁部２０ｃを備えていることを特徴としている。
【選択図】図９【図１】
0005435415.tif 000002
【図２】
0005435415.tif 000003
【図３】
0005435415.tif 000004
【図４】
0005435415.tif 000005
【図５】
0005435415.tif 000006
【図６】
0005435415.tif 000007
【図７】
0005435415.tif 000008
【図８】
0005435415.tif 000009
【図９】
0005435415.tif 000010
【図１０】
0005435415.tif 000011
【図１１】
0005435415.tif 000012
【図１２】
0005435415.tif 000013
【図１３】
0005435415.tif 000014